(57)【要約】【課題】コンテンツの電子データの原本を管理するコンテンツ管理システムにおいて、電子データの増大に対応し、且つ原本の唯一性を維持する。【解決手段】コンテンツの系列管理や処理履歴は、原本管理本体装置（１）で管理し、コンテンツのデータのみメデイアＩＤ付き可搬媒体（４−１〜４−３）で保管する。そのため、電子データの増大に容易に対応できるとともに、原本の更新の履歴は、システムで管理でき、媒体特有のメディアＩＤを持つ媒体を、原本データとするため、メデイアＩＤにより、唯一の原本として確定できる。【選択図】図１
2004046592.tif 000002
【特許請求の範囲】
【請求項１】
コンテンツを電子データとして、保管し、原本の管理を行うコンテンツ管理システムにおいて、
前記コンテンツの処理の履歴を管理する本体装置と、
前記コンテンツを保存し、且つ前記本体装置に着脱可能なメデイアＩＤを持つ可搬媒体とを有し、
前記本体装置が、外部装置からの依頼に基づき、前記可搬媒体へ前記コンテンツの登録及び改版を行うとともに、前記コンテンツに対する前記メデイアＩＤと処理履歴を管理する
ことを特徴とするコンテンツ管理システム。
【請求項２】
前記本体装置は、前記コンテンツの登録及び改版に対し、登録証書を作成し、前記可搬媒体に前記コンテンツとともに格納し、前記外部装置からの前記登録証書の正当性を判定して、前記可搬媒体のコンテンツへのアクセスを許可する
ことを特徴とする請求項１のコンテンツ管理システム。
【請求項３】
前記本体装置は、前記コンテンツの登録及び改版に対し、登録証書を作成し、前記コンテンツの管理情報として格納し、前記外部装置からの前記登録証書の正当性を判定して、前記コンテンツの前記処理履歴の読出しを許可する
ことを特徴とする請求項１のコンテンツ管理システム。
【請求項４】
前記本体装置は、前記コンテンツの保管に対し、乱数で発生した暗号鍵で前記コンテンツを暗号化し、且つ前記メデイアＩＤで前記暗号鍵を暗号化し、暗号化したコンテンツと、暗号化した暗号鍵を、前記メデイアＩＤの可搬媒体に格納する
ことを特徴とする請求項１のコンテンツ管理システム。
【請求項５】
前記本体装置は、前記コンテンツの登録及び改版に対し、前記コンテンツの系列管理情報を作成し、保管する
ことを特徴とする請求項１のコンテンツ管理システム。
【発明の詳細な説明】
【０００１】
【発明の属する技術分野】
本発明は、電子データとしてコンテンツを管理するためのコンテンツ管理システムに関し、特に、コンテンツを可換記憶媒体に格納して、コンテンツの原本を管理するためのコンテンツ管理システムに関する。
【０００２】
【従来の技術】
近年の情報処理システムの発達により、紙ベースで保管されていた文書、図面等のコンテンツが電子データで保管されるようになってきた。このような電子データは、容易に改ざんできるため、電子データとして、原本を管理する必要がある。
【０００３】
このため、電子データとして、コンテンツを管理するには、電子データに、以下の様な原本性が要求される。第１に、原本の電子データが、改ざんされていないことを検出出来る機能、第２に、電子データを第三者に不正に見られない機能、第３に、原本の電子データを操作した事実の履歴管理機能、第４に、各版の内容や原本の変移をトレースできる機能、第５に、原本の唯一性を保証する機能である。
【０００４】
このような要求に伴い、電子データをファイルサーバーで格納し、ファイルサーバーにアクセス権限（パスワード等）を持たせ、且つ操作履歴をログしておくことにより、不正操作を防止することが行われている。しかし、この方法では、原本の改ざんを防止できるが、原本の改版管理や、原本の唯一性の保証は困難である。例えば、電子データを複写した場合に、複写データは、どの原本に対応するかが不明である。
【０００５】
このため、ファイルサーバーのハードデイスク等の内部記憶装置に、各版の電子データを保存し、更に、各版の版数履歴を保存し、ファイルサーバー内の電子データの原本性（改ざんされていない原本であること）を保証することが提案されている（例えば、特開２００２−８２８２１号公報等）。
【０００６】
【発明が解決しようとする課題】
しかしながら、前記提案では、ファイルサーバー内の記憶装置に電子データを保存することを対象とするため、電子データが記憶装置の容量を越える場合には、外部記憶媒体への保存が必要であり、電子データが、内部記憶装置と外部記憶媒体に分散し、原本を管理する仕組みが複雑となる。即ち、原本である電子データの増大に対し、拡張性が乏しいという問題が生じる。
【０００７】
一方、電子データを、外部記憶媒体で保存した場合には、電子データの原本性を管理することが困難となる。即ち、外部記憶媒体で電子データを保存する場合には、外部記憶媒体のため、原本の持ち出しができるため、原本の管理と、原本や著作権を保証した中での原本の複製を配布することの両立が困難である。
【０００８】
従って、本発明の目的は、原本の電子データの増大に対応して、原本を外部記憶媒体に保存しても、原本の管理を簡易に行うことができるコンテンツ管理システムを提供することにある。
【０００９】
又、本発明の他の目的は、原本の電子データの増大に対応して、原本を外部記憶媒体に保存しても、原本として管理されたデータを、外部記憶媒体に保存することができるコンテンツ管理システムを提供することにある。
【００１０】
更に、本発明の他の目的は、原本の電子データの増大に対応して、原本を外部記憶媒体に保存しても、原本の各版を一元管理するためのコンテンツ管理システムを提供することにある。
【００１１】
【課題を解決するための手段】
この目的の達成のため、本発明のコンテンツ管理システムは、コンテンツの処理の履歴を管理する本体装置と、前記コンテンツを保存し、且つ前記本体装置に着脱可能なメデイアＩＤを持つ可搬媒体とを有し、前記本体装置が、外部装置からの依頼に基づき、前記可搬媒体へ前記コンテンツの登録及び改版を行うとともに、前記コンテンツに対する前記メデイアＩＤと処理履歴を管理することを特徴とする。
【００１２】
本発明では、コンテンツの系列管理や処理履歴は、本体装置内に格納され、データのみ可搬媒体で管理するため、電子データの増大に容易に対応できるとともに、原本の更新の履歴は、システムで管理でき、媒体特有のメディアＩＤを持つ媒体を、原本データとするため、メデイアＩＤにより、唯一の原本として確定できる。
【００１３】
又、本発明では、好ましくは、前記本体装置は、前記コンテンツの登録及び改版に対し、登録証書を作成し、前記可搬媒体に前記コンテンツとともに格納し、前記外部装置からの前記登録証書の正当性を判定して、前記可搬媒体のコンテンツへのアクセスを許可する。これにより、登録証書を通知された利用者のみが、格納されたコンテンツにアクセスすることができ、不正アクセスを防止できる。
【００１４】
又、本発明は、好ましくは、前記本体装置は、前記コンテンツの登録及び改版に対し、登録証書を作成し、前記コンテンツの管理情報として格納し、前記外部装置からの前記登録証書の正当性を判定して、前記コンテンツの前記処理履歴の読出しを許可する。これにより、登録証書を通知された者のみが、コンテンツの履歴にアクセスでき、不正アクセスを防止できる。
【００１５】
更に、本発明では、好ましくは、前記本体装置は、前記コンテンツの保管に対し、乱数で発生した暗号鍵で前記コンテンツを暗号化し、且つ前記メデイアＩＤで前記暗号鍵を暗号化し、暗号化したコンテンツと、暗号化した暗号鍵を、前記メデイアＩＤの可搬媒体に格納する。これにより、可搬媒体が取り出されても、不正な読出しを防止でき、原本の唯一性を維持できる。
【００１６】
更に、本発明では、前記本体装置は、前記コンテンツの登録及び改版に対し、前記コンテンツの系列管理情報を作成し、保管する。これにより、原本の初版、改版の関係が明確となる。
【００１７】
更に、本発明では、好ましくは、前記可搬媒体の暗号化コンテンツを格納する複写媒体を更に有し、前記複写媒体の利用者に、前記暗号鍵と前記複写媒体とを配布する。このため、正当配布者のみが、登録されたコンテンツの複写への利用ができ、著作権を管理できる。
【００１８】
更に、本発明では、好ましくは、前記本体装置と前記外部装置とがネットワーク接続されている。これにより、本体装置の可搬媒体へのコンテンツの登録、更新が容易となる。
【００１９】
【発明の実施の形態】
以下、本発明の実施の形態を、コンテンツ管理システム、コンテンツ管理処理、他の実施の形態で、説明するが、本発明は、下記実施の形態に限られない。
【００２０】
［コンテンツ管理システム］
図１は、本発明の一実施の形態のコンテンツ管理システムの構成図、図２は、図１のセキュア媒体の格納データの説明図、図３は、図１の原本管理処理の説明図である。
【００２１】
図１に示すように、原本を管理する本体装置１と、データを登録するクライアント（端末）２−１、２−２、２−３、２−４は、ネットワーク３により接続される。本体装置１は、例えば、ファイルサーバーで構成されている。クライアント２−１〜２−４は、例えば、デイスプレイ、キーボード、処理ユニットを備えたパーソナルコンピュータで構成されている。ネットワーク３は、例えば、ＬＡＮ（Ｌｏｃａｌ　Ａｒｅａ　Ｎｅｔｗｏｒｋ）で構成される。
【００２２】
本体装置１は、原本管理処理１６を行うプロセッサ（ＣＰＵ）１０と、原本管理のための系列情報及び原本管理情報を格納するハードデイスク装置（ＨＤＤ）１２と、原本を格納する外部記憶媒体４−１、４−２、４−３のドライブと、これらを接続するバス１８とを有する。
【００２３】
外部記憶媒体４−１、４−２、４−３は、光磁気デイスク（ＭＯ）等のセキュリテイ媒体で構成される。セキュリテイ媒体は、予め記憶媒体に、記憶媒体特有のメディアＩＤ（識別子）が付された記憶媒体であり、セキュリテイが向上した媒体である。尚、この例では、セキュリテイ媒体４−１、４−２、４−３は、可搬型ＭＯで構成されており、単数又は複数のＭＯドライブが、バス１８に接続される。
【００２４】
セキュリテイ媒体４のデータ構成は、図２に示すように、その媒体固有のメデイアＩＤ２０と、乱数をデータ暗号キーとして暗号化されたデータ２６と、乱数で構成されたデータ暗号キーをメデイアＩＤで暗号化したキー（鍵）２２とからなる。更に、後述する原本管理の登録証書２４も格納される。
【００２５】
このようなセキュリテイ媒体では、メデイアＩＤで媒体が特定される。本発明では、このセキュリテイ媒体を、原本の保存に使用する。
【００２６】
次に、原本の管理は、本体装置１で行う。図３は、図１の原本管理処理１６を説明する説明図である。原本の各版の関係を系列情報で定義し、各版の原本に、管理情報２４、３０、３２を規定する。
【００２７】
操作履歴情報３０は、各版の原本に対し、誰が何時どのような処理を行ったかを履歴により管理する。例えば、登録者、登録日、読出し者、読出し日、改版者、改版日等である。各版の原本（初版、２版、Ｎ版）は、旧版を確認したい場合などに、その時の状態に戻せる様にするために、そのまま保存する。各版の原本自体は、前述のセキュリテイ媒体に保存する。
【００２８】
登録証書情報２４は、原本の登録時に発行され、例えば、文書管理番号等で構成される。所在情報３２は、データを保管した媒体４−１、４−２、４−３のメディアＩＤを示す。
【００２９】
原本管理処理１６の基本的機能を説明する。クライアント２−１〜２−４からデータを登録する場合は、依頼とデータを本体装置１に送付する。本体装置１は、登録を行うと、系列管理情報と操作履歴等の原本管理情報を作成し、管理する。又、登録依頼されたデータは、メディアＩＤ付きの可搬媒体（セキュリテイ媒体）４−１〜４−３に、前述の暗号化を施して、原本として、格納する。
【００３０】
本体装置１は、文書（データ）を登録すると、登録した位置情報（文書管理番号）を持つ登録証書をクライアントに返す。以降は、登録証書を指定して、改版履歴、改版日、改版者などの原本管理情報を読み出すことが出来る。
【００３１】
次に、登録データの更新を行う場合は、クライアント２−１〜２−４から、更新する登録データの登録証書と更新データを、本体装置１に送付する。本体装置１は、対象となる原本の同一系列のデータとして、管理する。この更新データは、登録時と同様に、メディアＩＤ付きの可搬媒体４−１〜４−３に書き込む。即ち、誰が何時どのような処理を行ったかは、操作履歴３０により管理されているが、旧版を確認したい場合などに、その時の状態に戻せる様にするために各版数を、そのまま保存する。
【００３２】
即ち、系列管理情報は、原本の初版、２版、Ｎ版の系列を示す管理情報であり、原本の登録、更新により、作成される。原本管理情報は、各原本について、登録証書２４と、いつ誰が登録／更新を行ったかの履歴である操作履歴３０と、データを保管した媒体のメディアＩＤを示す所在情報３２とを有する。
【００３３】
ＣＰＵ１０の原本管理処理１６は、前述の登録／更新の管理処理（系列化処理）を行う。原本自体は、可搬媒体４−１〜４−３に格納され、クライアント２−１〜２−４で読み出しが可能である。又、可搬媒体は、必要であれば、原本管理処理１６を有しない装置環境へ送付しての使用も可能である。
【００３４】
又、原本の複写は、通常は、クライアント２−１〜２−４で原本媒体４−１〜４−３からデータを読み出し、同様のロジックで、複写することで配布媒体を作成することができる。
【００３５】
［コンテンツ管理処理］
次に、図１のＣＰＵ１０の原本管理処理を、図４乃至図１１により説明する。
【００３６】
図４は、文書登録処理（初版登録処理）フロー図、図５は、その動作説明図である。図５を参照して、図４に従い、文書登録処理を説明する。
【００３７】
（Ｓ１０）上位装置（クライアント）２−１〜２−４から登録文書データと登録依頼を、本体装置１に発行する。
【００３８】
（Ｓ１２）本体装置１は、登録依頼を受けると装置内部のデイスク装置１２に、系列管理４０と処理履歴２４、３０、３２を作成する。即ち、系列管理情報４０として、原本初版を登録し、操作履歴３０に、初版登録情報（登録者、登録日等）を、登録する。
【００３９】
（Ｓ１４）次に、乱数により暗号化鍵を生成し、文書データ及び登録証書を暗号化する。次に、書き込む可搬媒体４−１からメディアＩＤを読みだし、メディアＩＤを鍵に暗号鍵を暗号化する。
【００４０】
（Ｓ１６）ＣＰＵ１０は、暗号化した文書２６及び登録証書２４と，暗号化した暗号鍵２２を可搬媒体４−１に書き込む。デイスク装置１２に、原本管理情報として、登録証書２４と所在情報（メデイアＩＤ）２０を登録する。
【００４１】
（Ｓ１８）本体装置１から登録依頼したクライアント２−１に、登録証書を通知する。
【００４２】
このように、原本部分のみ可搬媒体４−１〜４−３へ書き込み、原本管理情報は、本体装置１で保管、管理する。このため、拡張性の富む可搬媒体に原本を格納しても、原本を本体装置で一元管理できる。
【００４３】
又、可搬媒体４−１〜４−３には、本体装置１で作成された乱数を暗号鍵として、データを暗号化して、格納するため、容易に読出しが困難であり、不正読出しを防止できる。又、可搬媒体４−１〜４−３のメディアＩＤを，共通鍵として乱数（データを暗号化した鍵）を暗号化して書き込むため、各データの暗号鍵の解読が一層困難であり、可搬媒体に原本を格納しても、不正な読出しを防止できる。
【００４４】
図６は、文書更新処理（改版登録処理）フロー図、図７は、その動作説明図である。図７を参照して、図６に従い、文書更新処理を説明する。
【００４５】
（Ｓ２０）上位装置（クライアント）２−１〜２−４から初版の登録証書と更新文書データと更新依頼を、本体装置１に発行する。
【００４６】
（Ｓ２２）本体装置１は、更新依頼を受けると、受けた登録証書から装置内部のデイスク装置１２に、系列管理４０と処理履歴２４、３０、３２を参照し、原本系列を決定する。次に、系列管理情報４０として、原本初版に対する原本２版を登録し、操作履歴３０に、更新登録情報（原本初版に対しては、更新者、更新日等、原本２版に対しては、２版作成者、作成日）を、登録する。
【００４７】
（Ｓ２４）次に、乱数により暗号化鍵を生成し、更新文書データ及び登録証書を暗号化する。次に、書き込む可搬媒体４−２からメディアＩＤ２を読みだし、メディアＩＤ２を鍵に暗号鍵を暗号化する。
【００４８】
（Ｓ２６）ＣＰＵ１０は、暗号化した文書２６及び登録証書２４と，暗号化した暗号鍵２２を可搬媒体４−２に書き込む。デイスク装置１２に、原本２版の原本管理情報として、登録証書２４と所在情報（メデイアＩＤ）２０を登録する。
【００４９】
（Ｓ２８）本体装置１から更新依頼したクライアント２−１に、２版の登録証書を通知する。
【００５０】
このように、原本部分のみ可搬媒体４−１〜４−３へ書き込み、原本管理情報は、本体装置１で保管、管理する。このため、拡張性の富む可搬媒体に原本を格納しても、原本系列を本体装置で一元管理できる。
【００５１】
次に、この可搬媒体に格納された原本データの読出し処理を、図８の登録文書読出し処理フロー図で説明する。
【００５２】
（Ｓ３０）上位装置（クライアント）２−１〜２−４から、読み出すべき文書の登録証書と共に、データの読み出し依頼を、本体装置１に指示する。
【００５３】
（Ｓ３２）本体装置１のデイスク装置１２の原本管理情報３２の登録証書と、依頼された登録証書とを比較し、一致する登録証書があるかを判定する。一致するものがなければ、終了する。
【００５４】
（Ｓ３４）登録証書が、同一物であることを確認すると、ドライブに挿入されている可搬媒体４−１をチェックし、メディアＩＤ２０を読みだす。可搬媒体４−１に格納された暗号化された暗号鍵２２をメディアＩＤ２０により復号化する。
【００５５】
（Ｓ３６）復号化した暗号鍵で、可搬媒体４−１に格納された暗号化されている文書２６を復号化する。
【００５６】
（Ｓ３８）復号したデータをクライアント２−１〜２−４に送出する。
【００５７】
次に、この原本データの履歴参照処理を、図９の履歴参照処理フロー図で説明する。
【００５８】
（Ｓ４０）上位装置（クライアント）２−１〜２−４から、参照すべき文書の登録証書と共に、履歴参照依頼を、本体装置１に指示する。
【００５９】
（Ｓ４２）本体装置１のデイスク装置１２の原本管理情報３２の登録証書と、依頼された登録証書とを比較し、一致する登録証書があるかを判定し、一致するものがなければ、終了する。登録証書が、同一物であることを確認すると、操作履歴３０を取り出す。
【００６０】
（Ｓ４４）取り出した操作履歴をクライアント２−１〜２−４に送出する。
【００６１】
このように、系列管理や処理履歴は、原本管理本体装置１内に格納され、データのみ可搬媒体で管理できる。そのため、原本の更新の履歴は、システムで管理が可能である。又、データをメディアＩＤを持つ媒体に格納するため、媒体単体を取り出して、安全な場所（金庫など）に保管することが出来る。媒体特有のメディアＩＤを持つ媒体を、原本データとするため、メデイアＩＤにより、唯一の原本として確定できる。
【００６２】
更に、その媒体の複写を配布する場合に、図１０に示すように、配布媒体４−ｎには、暗号鍵で暗号化されたデータ２６のみを格納し、暗号鍵と登録証書を格納しない。そして、配布者には、暗号鍵を配布したメデイアＩＤで暗号化したデータを使用許可書として配布する。このため、配布したメデイアと使用許可書を持つ者しかデータを復号化できないので、正式な配布媒体を持ち、使用許可された者のみが、格納データを使用できる。
【００６３】
図１１は、本発明による原本と複製物の使用許可形態の説明図である。図１１に示すように、原本を本体装置内で使用する（オンライン）場合には、登録証書により、原本の登録、更新、参照、読出しができる。
【００６４】
又、原本の正式な複製には、図１０で示したように、暗号鍵を使用許可として、通知するため、正式な配布媒体を持ち、使用許可された者のみが、格納データを読出しできる。
【００６５】
このように、系列管理や処理履歴は、原本管理本体装置１内に格納され、データのみ可搬媒体で管理できる。そのため、電子データの増大に容易に対応できるとともに、原本の更新の履歴は、システムで管理でき、媒体特有のメディアＩＤを持つ媒体を、原本データとするため、メデイアＩＤにより、唯一の原本として確定できる。
【００６６】
更に、その媒体の複写を配布する場合に、正式な配布媒体を持ち、使用許可された者のみが、格納データを使用できる。このため、原本性の保証を持ったデータのみを可搬媒体で管理しつつ、複製の利用が可能となる。
【００６７】
［他の実施の形態］
前述の実施の形態では、セキュア媒体を、ＭＯ（光磁気デイスク）で説明したが、ＣＤ−Ｒ，ＤＶＤ等の光デイスクや、可搬型の磁気デイスク、半導体メモリ等を利用できる。又、原本としての電子データは、文書、図面等を適用できる。
【００６８】
以上、本発明を実施の形態で説明したが、本発明の趣旨の範囲内において、種々の変形が可能であり、これらを本発明の範囲から排除するものではない。
【００６９】
（付記１）コンテンツを電子データとして、保管し、原本の管理を行うコンテンツ管理システムにおいて、前記コンテンツの処理の履歴を管理する本体装置と、前記コンテンツを保存し、且つ前記本体装置に着脱可能なメデイアＩＤを持つ可搬媒体とを有し、前記本体装置が、外部装置からの依頼に基づき、前記可搬媒体へ前記コンテンツの登録及び改版を行うとともに、前記コンテンツに対する前記メデイアＩＤと処理履歴を管理することを特徴とするコンテンツ管理システム。
【００７０】
（付記２）前記本体装置は、前記コンテンツの登録及び改版に対し、登録証書を作成し、前記可搬媒体に前記コンテンツとともに格納し、前記外部装置からの前記登録証書の正当性を判定して、前記可搬媒体のコンテンツへのアクセスを許可することを特徴とする付記１のコンテンツ管理システム。
【００７１】
（付記３）前記本体装置は、前記コンテンツの登録及び改版に対し、登録証書を作成し、前記コンテンツの管理情報として格納し、前記外部装置からの前記登録証書の正当性を判定して、前記コンテンツの前記処理履歴の読出しを許可することを特徴とする付記１のコンテンツ管理システム。
【００７２】
（付記４）前記本体装置は、前記コンテンツの保管に対し、乱数で発生した暗号鍵で前記コンテンツを暗号化し、且つ前記メデイアＩＤで前記暗号鍵を暗号化し、暗号化したコンテンツと、暗号化した暗号鍵を、前記メデイアＩＤの可搬媒体に格納することを特徴とする付記１のコンテンツ管理システム。
【００７３】
（付記５）前記本体装置は、前記コンテンツの登録及び改版に対し、前記コンテンツの系列管理情報を作成し、保管することを特徴とする付記１のコンテンツ管理システム。
【００７４】
（付記６）前記可搬媒体の暗号化コンテンツを格納する複写媒体を更に有し、前記複写媒体の利用者に、前記暗号鍵と前記複写媒体とを配布することを特徴とする付記１のコンテンツ管理システム。
【００７５】
（付記７）前記本体装置と前記外部装置とがネットワーク接続されていることを特徴とする付記１のコンテンツ管理システム。
【００７６】
【発明の効果】
コンテンツの系列管理や処理履歴は、原本管理本体装置内に格納され、データのみ可搬媒体で管理するため、電子データの増大に容易に対応できるとともに、原本の更新の履歴は、システムで管理できる。又、媒体特有のメディアＩＤを持つ媒体を、原本データとするため、メデイアＩＤにより、唯一の原本として確定できる。
【図面の簡単な説明】
【図１】本発明の一実施の形態のコンテンツ管理システムの構成図である。
【図２】図１のメデイアＩＤを持つ記憶媒体の説明図である。
【図３】図１の本体装置における原本管理の説明図である。
【図４】図１の構成における文書登録処理フロー図である。
【図５】図４の文書登録処理の説明図である。
【図６】図１の構成における文書更新処理フロー図である。
【図７】図６の文書更新処理の説明図である。
【図８】図１の構成における登録文書読出し処理フロー図である。
【図９】図１の構成における履歴参照処理フロー図である。
【図１０】図２のコンテンツの複写媒体の説明図である。
【図１１】本発明の一実施の形態による原本へのアクセス動作の説明図である。
【符号の説明】
１　本体装置（ファイルサーバー）
１０　ＣＰＵ
１２　ハードデイスク装置
１６　原本管理処理
１８　内部バス
２−１〜２−４　クライアント
３　ネットワーク
４−１〜４−３　メデイアＩＤ付き記憶媒体
２０　メデイアＩＤ
２２　暗号鍵
２４　登録証書
２６　暗号化データ（コンテンツ）
３０　操作履歴
３２　所在情報
４０　系列情報
【図１】
2004046592.tif 000003
【図２】
2004046592.tif 000004
【図３】
2004046592.tif 000005
【図４】
2004046592.tif 000006
【図５】
2004046592.tif 000007
【図６】
2004046592.tif 000008
【図７】
2004046592.tif 000009
【図８】
2004046592.tif 000010
【図９】
2004046592.tif 000011
【図１０】
2004046592.tif 000012
【図１１】
2004046592.tif 000013